(57)【要約】【課題】本発明は、小型化されたハウジングを提供する。【解決手段】相手側端子と嵌合すると共に軸線方向に延びた嵌合部１７を有する複数の端子１１と、複数の端子１１が軸線と略直交する方向に横並びに収容されたハウジング１２と、ハウジング１２から導出される複数の電線１８と、を備えたコネクタ１０であって、複数の端子１１はそれぞれ、軸線方向について嵌合部１７と反対側の端部が軸線方向に対して略直交する方向に延びると共に複数の電線１８と接続される電線接続部１９を有し、複数の電線１８は、ハウジング１２から、複数の端子１１の並び方向に沿う方向に導出されており、且つ、複数の端子１１が並べられた仮想的な端子並び平面４７と略直交する、仮想的な電線並び平面４８内に並んで配されている。【選択図】図１
2013084429.tif 000002
【特許請求の範囲】
【請求項１】
相手側端子と嵌合すると共に軸線方向に延びた嵌合部を有する複数の端子と、前記複数の端子が前記軸線と略直交する方向に横並びに収容されたハウジングと、前記ハウジングから導出される複数の電線と、を備えたコネクタであって、
前記複数の端子はそれぞれ、前記軸線方向について前記嵌合部と反対側の端部が前記軸線方向に対して略直交する方向に延びると共に前記複数の電線と接続される電線接続部を有し、
前記複数の電線は、前記ハウジングから、前記複数の端子の並び方向に沿う方向に導出されており、且つ、前記複数の端子が並べられた仮想的な端子並び平面と略直交する、仮想的な電線並び平面内に並んで配されているコネクタ。
【請求項２】
前記端子は、前記嵌合部と、前記嵌合部とは別体に形成された前記電線接続部とを、ボルトで固定してなる請求項１に記載のコネクタ。
【請求項３】
前記電線接続部は金属板材からなり、複数の前記電線接続部の少なくとも一つは、前記電線並び平面内で屈曲している請求項１または請求項２に記載のコネクタ。
【請求項４】
前記ハウジングには、前記軸線方向について前記嵌合部と反対側の位置に、カバーが取り付けられており、
前記端子及び前記電線は、前記カバーによって、前記軸線について前記嵌合部と反対方向に移動することを規制されている請求項１ないし請求項３のいずれか一項に記載のコネクタ。
【請求項５】
前記カバーには、前記電線接続部が導出される導出口が、前記端子並び平面と略直交する方向に開口して形成されている請求項４に記載のコネクタ。
【発明の詳細な説明】
【技術分野】
【０００１】
本発明は、コネクタに関する。
【背景技術】
【０００２】
従来、コネクタとして特許文献１に記載のものが知られている。このコネクタは、相手側端子と軸線上で嵌合する嵌合端子と、この嵌合端子を収容するハウジングと、を備える。嵌合端子には、相手側端子と嵌合する嵌合部と軸線方向について反対側の端部に電線が接続されている。電線は、軸線に沿ってハウジングから導出されている。
【先行技術文献】
【特許文献】
【０００３】
【特許文献１】特開２００９−７０７５４号公報
【発明の概要】
【発明が解決しようとする課題】
【０００４】
上記の構成によると、嵌合端子は、相手側端子と軸線上で嵌合する構成となっているので、相手側端子との電気的な接続を確実なものとするため、軸線方向についてある程度の長さが必要となる。また、嵌合端子には、相手側端子と嵌合する嵌合部と軸線方向について反対側の端部に、電線を接続するための構造が必要となる。このため、嵌合端子を軸線方向に小型化することが困難であるという問題がある。更に、嵌合端子に接続された電線は、軸線方向に沿ってハウジングから導出されるので、コネクタは全体として軸線方向に大型化することが懸念される。この電線の直径が比較的に大きな場合には、電線を曲げて配索することが難しくなるため、ハウジングが全体として軸線方向に大型化することが、一層、問題となりうる。
【０００５】
本発明は上記のような事情に基づいて完成されたものであって、小型化されたハウジングを提供することを目的とする。
【課題を解決するための手段】
【０００６】
本発明は、相手側端子と嵌合すると共に軸線方向に延びた嵌合部を有する複数の端子と、前記複数の端子が前記軸線と略直交する方向に横並びに収容されたハウジングと、前記ハウジングから導出される複数の電線と、を備えたコネクタであって、前記複数の端子はそれぞれ、前記軸線方向について前記嵌合部と反対側の端部が前記軸線方向に対して略直交する方向に延びると共に前記複数の電線と接続される電線接続部を有し、前記複数の電線は、前記ハウジングから、前記複数の端子の並び方向に沿う方向に導出されており、且つ、前記複数の端子が並べられた仮想的な端子並び平面と略直交する、仮想的な電線並び平面内に並んで配されている。
【０００７】
本発明によれば、端子の電線接続部は軸線に対して略直交する方向に延びているので、端子を軸線方向について小型化することができる。また、電線は、ハウジングから複数の端子の並び方向に沿う方向に導出されているので、コネクタを、複数の端子の並び方向と略直交する方向について小型化することができる。また、複数の電線は、複数の端子が並べられた仮想的な平面と略直交する仮想的な平面内に並んで配されているので、複数の電線が軸線方向に重なって配される場合に比べて、複数の電線を軸線方向についてコンパクトに配索することができる。これにより、全体としてコネクタを小型化できる。
【０００８】
本発明の実施態様としては以下の態様が好ましい。
前記端子は、前記嵌合部と、前記嵌合部とは別体に形成された前記電線接続部とを、ボルトで固定してなることが好ましい。
【０００９】
上記の態様によれば、嵌合部と電線接続部とを一体に形成する場合に比べて、コネクタのコスト低減を図ることができる。
【００１０】
前記電線接続部は金属板材からなり、複数の前記電線接続部の少なくとも一つは、前記電線並び平面内で屈曲していることが好ましい。
【００１１】
上記の態様によれば、複数の電線接続部の少なくとも一つは電線並び平面内で屈曲しているので、複数の電線接続部同士が互いに干渉し合うことを避けることができる。これにより、電線接続部同士を電線並び平面内に配することができるので、電線を、確実に、電線並び平面内に並べて配することができる。これにより、確実に、コネクタを全体として小型化できる。
【００１２】
前記ハウジングには、前記軸線方向について前記嵌合部と反対側の位置に、カバーが取り付けられており、前記端子及び前記電線は、前記カバーによって、前記軸線について前記嵌合部と反対方向に移動することを規制されていることが好ましい。
【００１３】
上記の態様によれば、ハウジングに、端子及び電線が軸線について嵌合部と反対方向に移動することを規制するための構成を設けなくてもよいので、ハウジングを小型化できる。これにより、全体としてコネクタを小型化できる。
【００１４】
前記カバーには、前記電線接続部が導出される導出口が、前記端子並び平面と略直交する方向に開口して形成されていることが好ましい。
【００１５】
上記の態様によれば、導出口から電線接続部を、端子並び平面と略直交する方向に導出することができる。これにより、確実に、電線を、端子並び平面と略直交する方向に導出することができる。これにより、確実に、コネクタを全体として小型化できる。
【発明の効果】
【００１６】
本発明によれば、コネクタを小型化できる。
【図面の簡単な説明】
【００１７】
【図１】図１は本発明の一実施形態に係るコネクタの分解斜視図である。
【図２】図２はコネクタの断面図である。
【図３】図３は嵌合部と、ナットと、保持部材を示す斜視図である。
【図４】図４は嵌合部を示す斜視図である。
【図５】図５はカバーとハウジングとを示すコネクタの断面図である。
【図６】図６は第１樹脂部材を示す斜視図である。
【図７】図７は第１電線接続部を示す平面図である。
【図８】図８は第１樹脂部材を示す背面図である。
【図９】図９は第２樹脂部材を示す斜視図である。
【図１０】図１０は第２電線接続部を示す平面図である。
【図１１】図１１は第２樹脂部材を示す背面図である。
【図１２】図１２はボルトキャップを示す斜視図である。
【図１３】図１３はコネクタからカバーを外した状態を示す斜視図である。
【図１４】図１４はコネクタからカバーを外した状態を示す背面図である。
【図１５】図１５はコネクタを示す斜視図である。
【図１６】図１６はコネクタを示す斜視図である。
【図１７】図１７はコネクタを示す正面図である。
【図１８】図１８はコネクタを示す側面図である。
【図１９】図１９はコネクタを示す背面図である。
【図２０】図２０はカバーを示す正面図である。
【発明を実施するための形態】
【００１８】
本発明の一実施形態を図１ないし図２０を参照して説明する。本実施形態に係るコネクタ１０は、電気自動車、ハイブリッド車等の車両（図示せず）に取り付けられて、充電用のコネクタ１０として用いられる。コネクタ１０は、金属からなる複数の端子１１と、端子１１が収容される合成樹脂製のハウジング１２と、を備える。以下の説明においては、図２における下方を前方とし、上方を後方とする。また、図２における左方を左方とし、右方を右方として説明する。
【００１９】
図１に示すように、合成樹脂製のハウジング１２には、信号電流が通電される信号線１３と、この信号線１３に接続された信号端子１４とが、収容されている。信号線１３及び信号端子１４は、ハウジング１２に後方から取り付けられるリテーナ１５により、後方への移動が規制されている。
【００２０】
図２に示すように、ハウジング１２には、複数（本実施形態では２つ）の端子１１が収容される端子収容部１６が左右方向に並んで形成されている。端子収容部１６は前後方向に開口している。端子１１には比較的に大きな充電電流が流れるようになっている。
【００２１】
端子１１は、図示しない相手側端子と嵌合する嵌合部１７と、電線１８に接続される電線接続部１９と、を備える。嵌合部１７は、前後方向に延びる筒状に形成されている。本実施形態においては、嵌合部１７の軸線は前後方向に延びている。本実施形態においては、２つの端子１１は、軸線の延びる方向に略直交する方向（左右方向）に並んでいる。相手側端子は前方から嵌合部１７と嵌合するようになっている。一方、電線接続部１９は、軸線と略直交する方向に延びて形成されている。嵌合部１７と電線接続部１９とはボルト２０によりネジ止めされている。
【００２２】
嵌合部１７の前端部寄りには、前端部から後方に向かって複数のスリット２１が形成されている（図３参照）。これにより、相手側端子が嵌合部１７内に進入すると、スリット２１により区分された複数の弾性片２２が相手側端子と弾性的に接触する。これにより、相手側端子と端子１１とが電気的に接続される。
【００２３】
嵌合部１７の後方には嵌合部１７よりも径大な径大部２３が形成されている。径大部２３の外面にはゴムリング２４Ａが外嵌されている。このゴムリング２４Ａの外面と端子収容部１６の内面とが密着することにより端子１１とハウジング１２とが液密にシールされている。
【００２４】
径大部２３の後方にはボルト２０が挿通される挿通部２５が形成されている。挿通部２５には、挿通部２５の後端から前方に向かって延びると共にボルト２０が挿通される挿通孔２６が形成されている（図４参照）。径大部２３の側面には、ナット２７が取り付けられる取り付け孔２８が、前後方向（軸線方向）と略直交する方向に延びて形成されている（図３参照）。取り付け孔２８は有底孔である。取り付け孔２８の内部にはナット２７が図３に示す矢線方向から収容される。取り付け孔２８の開口は、取り付け孔２８の内部にナット２７が収容された状態で、合成樹脂製の保持部材２９によって、図３に示す矢線方向から塞がれるようになっている。この保持部材２９により、ナット２７は取り付け孔２８の内部に保持されるようになっている。保持部材２９は、端子収容部１６の内面と当接することにより、取り付け孔２８から抜け出さないようになっている（図２参照）。上記のボルト２０は、挿通孔２６内に挿通されて、ナット２７と螺合されるようになっている。
【００２５】
図５に示すように、ハウジング１２の後端部には合成樹脂製のカバー３０が取り付けられる。カバー３０に形成されたカバーロック部３１と、ハウジング１２に形成されたカバーロック受け部３２とが弾性的に係合することにより、カバー３０とハウジング１２とは一体に組み付けられる。
【００２６】
図１に示すように、右側の嵌合部１７の後端部には第１樹脂部材３３が取り付けられており、左側の嵌合部１７には第２樹脂部材３４が取り付けられている。
【００２７】
図６に示すように、第１樹脂部材３３は合成樹脂製であって、略直方体形状をなす。第１樹脂部材３３の前面には前方に突出する円筒形状をなす第１筒部３５が形成されている。第１筒部３５の外面にはゴムリング２４Ｂが外嵌されている。このゴムリング２４Ｂの外面が端子収容部１６の内面と密着することにより、第１樹脂部材３３とハウジング１２とが液密にシールされる。
【００２８】
図７に示すように、第１樹脂部材３３の内部には、金属板材を所定形状にプレス加工してなる第１電線接続部１９Ａ（電線接続部１９）がインサート成形されている。第１電線接続部１９Ａの一方の端部にはボルト２０が挿通される貫通孔３６Ａが形成されている。また、第１電線接続部１９Ａの他方の端部には、電線１８の端部から露出する芯線に圧着されるバレル部３７Ａが形成されている。
【００２９】
図８に示すように、第１樹脂部材３３の後面には、円形状をなす第１窓孔３８が後方に開口されている。第１窓孔３８からは第１電線接続部１９Ａが露出している。第１窓孔３８はボルト２０の頭部が挿通可能になっている。
【００３０】
図９に示すように、第２樹脂部材３４は合成樹脂製であって、概ねＬ字形状に直角に折れ曲がった形状をなしている。第２樹脂部材３４の前面には前方に突出する円筒形状をなす第２筒部３９が形成されている。第２筒部３９の外面にはゴムリング２４Ｃが外嵌されている。このゴムリング２４Ｃの外面が端子収容部１６の内面と密着することにより、第２樹脂部材３４とハウジング１２とが液密にシールされる。
【００３１】
図１０に示すように、第２樹脂部材３４の内部には、金属板材を略Ｌ字形状にプレス加工してなる第２電線接続部１９Ｂ（電線接続部１９）がインサート成形されている。第２電線接続部１９Ｂの一方の端部にはボルト２０が挿通される貫通孔３６Ｂが形成されている。また、第２電線接続部１９Ｂの他方の端部には、電線１８の端部から露出する芯線に圧着されるバレル部３７Ｂが形成されている。
【００３２】
図１１に示すように、第２樹脂部材３４の後面には、円形状をなす第２窓孔４０が後方に開口されている。第２窓孔４０からは第２電線接続部１９Ｂが露出している。第２窓孔４０はボルト２０の頭部が挿通可能になっている。
【００３３】
第１樹脂部材３３の第１窓孔３８の内部、及び第２樹脂部材３４の第２窓孔４０の内部には、それぞれ、合成樹脂製のボルトキャップ４１が嵌合される。図１２に示すように、ボルトキャップ４１は略板状をなしている。ボルトキャップ４１にはロック受け部４２が形成されている。このロック受け部４２が、第１樹脂部材３３及び第２樹脂部材３４に形成されたロック部４３と弾性的に係合することにより、ボルトキャップ４１が、第１樹脂部材３３及び第２樹脂部材３４に対し、一体に組み付けられる。
【００３４】
ボルトキャップ４１の前面には、前方に突出する円筒形状をなす防水筒部４４が形成されている。防水筒部４４の外面にはゴムリング２４Ｄが外嵌されている。ゴムリング２４Ｄの外面と、ハウジング１２の端子収容部１６の内面とが密着することにより、ハウジング１２と第１樹脂部材３３との間、及びハウジング１２と第２樹脂部材３４との間とが、液密にシールされる（図１３参照）。
【００３５】
図１４に示すように、第１樹脂部材３３から電線１８が導出される部分には、合成樹脂製の電線キャップ４５が嵌められている。電線キャップ４５の内部にはパッキン４６が収容されている（図２参照）。このパッキン４６が電線１８の外面及び電線キャップ４５の内面と密着することにより、電線１８、第１樹脂部材３３、及び電線キャップ４５との間が液密にシールされる。
【００３６】
また、第２樹脂部材３４にも、第１樹脂部材３３と同様に電線キャップ４５が嵌められている。電線キャップ４５の内部にはパッキン４６が収容されている（図２参照）。このパッキン４６が電線１８の外面及び電線キャップ４５の内面と密着することにより、電線１８、第２樹脂部材３４、及び電線キャップ４５との間が液密にシールされる。
【００３７】
図１５ないし図１９に示すように、ハウジング１２の後端部からは、２つの電線１８が、右方に導出されている。図１７に示すように、本実施形態に係る２つの端子１１は左右方向に並んで配されているので、２つの電線１８は端子１１の並び方向に沿う方向に導出されるようになっている。
【００３８】
図１７に示すように、２つの端子１１は、上下方向に略直交する仮想的な端子並び平面４７の面上に並んで配されている。第１樹脂部材３３と、この第１樹脂部材３３から導出される電線１８は、端子並び平面４７の面上においてハウジング１２から導出されるようになっている。
【００３９】
図１７及び図１９に示すように、第２樹脂部材３４と、この第２樹脂部部材から導出される電線１８は、端子並び平面４７よりもやや下方の位置から、右方に導出されている。
【００４０】
そして、図１８に示すように、２つの電線１８は、端子並び平面４７と略直交する仮想的な電線並び平面４８の面上に並んで配されている。
【００４１】
また、図１８及び図１９に示すように、第２樹脂部材３４と、第２電線接続部１９Ｂは、電線並び平面４８内において屈曲する形状となっている。
【００４２】
図１６に示すように、ハウジング１２の後面にはカバー３０が取り付けられている。このカバー３０によって、第１樹脂部材３３及び第２樹脂部材３４が後方から支持されることにより、第１樹脂部材３３及び第２樹脂部材３４が後方（軸線について嵌合部１７と反対方向）に移動することが規制されるようになっている。
【００４３】
図２０に示すように、カバー３０の側壁には、第１樹脂部材３３が導出される第１導出口４９（導出口）が形成されている。また、カバー３０の下壁には、第２樹脂部材３４が導出される第２導出口５０（導出口）が形成されている。
【００４４】
（本実施形態の作用、効果）
続いて、本実施形態の作用、効果について説明する。本実施形態においては、端子１１の第１電線接続部１９Ａ及び第２電線接続部１９Ｂは軸線に対して略直交する方向に延びているので、端子１１を軸線方向について小型化することができる。
【００４５】
また、電線１８は、ハウジング１２から複数の端子１１の並び方向に沿う方向に導出されているので、コネクタ１０を、複数の端子１１の並び方向と略直交する方向について小型化することができる。
【００４６】
また、複数の電線１８は、複数の端子１１が並べられた端子並び平面４７と略直交する電線並び平面４８内に並んで配されているので、複数の電線１８が軸線方向に重なって配される場合に比べて、複数の電線１８を軸線方向についてコンパクトに配索することができる。これにおり、全体としてコネクタ１０を小型化できる。
【００４７】
また、本実施形態によれば、第２電線接続部１９Ｂは電線並び平面４８内で屈曲している。これにより、第１電線接続部１９Ａと、第２電線接続部１９Ｂとが電線並び平面４８内において干渉することを避けることができる。これにより、第１電線接続部１９Ａと第２電線接続部１９Ｂとを電線並び平面４８内に配することができるので、電線１８を、確実に、電線並び平面４８内に並べて配することができる。これにより、確実に、コネクタ１０を全体として小型化できる。
【００４８】
更に、本実施形態によれば、ハウジング１２には、軸線方向について嵌合部１７と反対側の位置に、カバー３０が取り付けられており、端子１１及び電線１８は、カバー３０によって、軸線について嵌合部１７と反対方向に移動することを規制されている。これにより、ハウジング１２に、端子１１及び電線１８が軸線について嵌合部１７と反対方向に移動することを規制するための構成を設けなくてもよいので、ハウジング１２を小型化できる。これにより、全体としてコネクタ１０を小型化できる。
【００４９】
また、本実施形態によれば、カバー３０には、第１電線接続部１９Ａが導出される第１導出口４９、及び、第２電線接続部１９Ｂが導出される第２導出口５０が、端子並び平面４７と略直交する方向に開口して形成されている。これにより、第１電線接続部１９Ａを第１導出口４９から、端子並び平面４７と略直交する方向に導出することができると共に、第２電線接続部１９Ｂを第２導出口５０から、端子並び平面４７と略直交する方向に導出することができる。これにより、確実に、電線１８を、端子並び平面４７と略直交する方向に導出することができる。この結果、確実に、コネクタ１０を全体として小型化できる。
【００５０】
また、本実施形態によれば、端子１１は、嵌合部１７と、嵌合部１７とは別体に形成された電線接続部１９とを、ボルト２０で固定してなる。これにより、嵌合部１７と電線接続部１９とを一体に形成する場合に比べて、コネクタ１０のコスト低減を図ることができる。
【００５１】
＜他の実施形態＞
本発明は上記記述及び図面によって説明した実施形態に限定されるものではなく、例えば次のような実施形態も本発明の技術的範囲に含まれる。
（１）端子１１及び電線１８は３つ以上であってもよい。
（２）第１電線接続部１９Ａと、第２電線接続部１９Ｂの双方が、電線並び平面４８内で屈曲していてもよい。
（３）端子１１は、嵌合部１７と電線接続部１９とを一体に形成する構成としてもよい。
（４）本実施形態においては、嵌合部１７は筒状をなす雌形状としたが、これに限られず、嵌合部１７は、棒状又は板状をなす雄形状としてもよい。
【符号の説明】
【００５２】
１０…コネクタ
１１…端子
１２…ハウジング
１７…嵌合部
１８…電線
１９Ａ…第１電線接続部
１９Ｂ…第２電線接続部
２０…ボルト
３０…カバー
４７…端子並び平面
４８…電線並び平面
４９…第１導出口（導出口）
５０…第２導出口（導出口）
【図１】
2013084429.tif 000003
【図２】
2013084429.tif 000004
【図３】
2013084429.tif 000005
【図４】
2013084429.tif 000006
【図５】
2013084429.tif 000007
【図６】
2013084429.tif 000008
【図７】
2013084429.tif 000009
【図８】
2013084429.tif 000010
【図９】
2013084429.tif 000011
【図１０】
2013084429.tif 000012
【図１１】
2013084429.tif 000013
【図１２】
2013084429.tif 000014
【図１３】
2013084429.tif 000015
【図１４】
2013084429.tif 000016
【図１５】
2013084429.tif 000017
【図１６】
2013084429.tif 000018
【図１７】
2013084429.tif 000019
【図１８】
2013084429.tif 000020
【図１９】
2013084429.tif 000021
【図２０】
2013084429.tif 000022